(57)【要約】【課題】従来の冷蔵庫において、ユーザは、複数の家庭の冷蔵庫に入力された商品情報を比較することができず、複数の家庭の主婦等が購入した商品に関する正確な情報を適切に得ることができなかった。【解決手段】１以上の冷蔵庫に格納されている１以上の商品情報を受信する商品情報受信部と、商品情報を蓄積する商品情報蓄積部と、冷蔵庫から商品情報にアクセスする旨を示すアクセス命令を受信するアクセス命令受信部と、アクセス命令に基づいて、商品情報蓄積部が蓄積した１以上の商品情報から、商品情報を選択する商品情報選択部と、商品情報選択部が選択した商品情報を出力する商品情報出力部を具備する情報処理装置と、当該情報処理装置に問い合わせて商品情報を得て出力する冷蔵庫により、複数のユーザが入力した商品情報を家庭で比較、検討できる。【選択図】　図２
2004116939.tif 000002
【特許請求の範囲】
【請求項１】
１以上の冷蔵庫に格納されている１以上の商品情報を受信し、前記商品情報を蓄積し、一の冷蔵庫のアクセス要求に基づいて、前記商品情報を送信する情報処理装置。
【請求項２】
１以上の冷蔵庫に格納されている１以上の商品情報を受信する商品情報受信部と、
前記商品情報を蓄積する商品情報蓄積部と、
冷蔵庫から商品情報にアクセスする旨を示すアクセス命令を受信するアクセス命令受信部と、
前記アクセス命令に基づいて、前記商品情報蓄積部が蓄積した１以上の商品情報から、商品情報を選択する商品情報選択部と、
前記商品情報選択部が選択した商品情報を出力する商品情報出力部を
具備する情報処理装置。
【請求項３】
前記商品情報は商品の種類を識別する商品種別識別子を有し、前記商品情報出力部は、商品種別識別子に基づいて商品情報を視覚的にまとめて表示されるように出力する請求項１または請求項２いずれか記載の情報処理装置。
【請求項４】
商品情報は商品種別識別子と価格を示す価格情報を有し、
前記商品情報出力部は、商品種別識別子に基づいて商品情報を視覚的にまとめ、かつ価格情報に基づいて並べて商品情報が表示されるように出力する請求項１または請求項２いずれか記載の情報処理装置。
【請求項５】
請求項１から請求項４いずれか記載の情報処理装置から商品情報を受信して、出力する冷蔵庫。
【請求項６】
１以上の他の冷蔵庫に格納されている商品情報を受信し、出力する冷蔵庫。
【請求項７】
１以上の冷蔵庫に格納されている１以上の商品情報を受信する商品情報受信部と、
１以上の商品情報を格納している商品情報格納部と、
前記商品情報受信部が受信した商品情報および商品情報格納部に格納されている商品情報を予め決められた規則に基づいて選択する商品情報選択部と、
前記商品情報選択部が選択した商品情報を出力する商品情報出力部を
具備する冷蔵庫。
【請求項８】
商品情報は商品種別識別子を有し、
前記商品情報出力部は、商品種別識別子に基づいて商品情報を視覚的にまとめて表示されるように出力する請求項６または請求項７いずれか記載の冷蔵庫。
【請求項９】
商品情報は商品種別識別子と価格情報を有し、
前記商品情報出力部は、商品種別識別子に基づいて商品情報を視覚的にまとめ、かつ価格情報に基づいて並べて商品情報が表示されるように出力する請求項６または請求項７いずれか記載の冷蔵庫。
【発明の詳細な説明】
【０００１】
【発明の属する技術分野】
本発明は、１以上の冷蔵庫に格納されている商品情報を出力する冷蔵庫等に関する。
【０００２】
【従来の技術】
従来、レシートの情報を読み取って商品情報を記録し、管理する冷蔵庫は存在した（例えば、特許文献１参照）。また、かかる従来技術によれば、ユーザが入力した商品情報のみ冷蔵庫に格納できた。
【０００３】
また、「価格．ｃｏｍ」というホームページが存在する（非特許文献１を参照）。かかるホームページでは、製作者が調べたパソコン等の価格が提示され、また価格をキーとしてソートされたお店の情報等が掲載されている。
【０００４】
【特許文献１】
特開２００２−１１５９５６号公報（第１頁、第１図）
【非特許文献１】
価格．ｃｏｍホームページ、インターネット＜ＵＲＬ：ｈｔｔｐ：／／ｗｗｗ．ｋａｋａｋｕ．ｃｏｍ＞
【０００５】
【発明が解決しようとする課題】
しかし、上記従来技術によれば、ユーザは、複数の家庭の冷蔵庫に入力された商品情報を比較することができなかった。従って、ユーザ（例えば、買い物をする主婦など）は、複数の家庭の主婦等が購入した商品に関する正確な情報を適切に得ることができなかった。
【０００６】
【課題を解決するための手段】
そこで、１以上の冷蔵庫に格納されている１以上の商品情報を受信する商品情報受信部と、商品情報を蓄積する商品情報蓄積部と、冷蔵庫から商品情報にアクセスする旨を示すアクセス命令を受信するアクセス命令受信部と、アクセス命令に基づいて、商品情報蓄積部が蓄積した１以上の商品情報から、商品情報を選択する商品情報選択部と、商品情報選択部が選択した商品情報を出力する商品情報出力部を具備する情報処理装置と、当該情報処理装置に問い合わせて商品情報を得て出力する冷蔵庫により、複数のユーザが入力した商品情報を家庭で比較、検討できる。
【０００７】
【発明の実施の形態】
以下、情報処理システムや冷蔵庫等の実施形態について図面を参照して説明する。なお、実施の形態において同じ符号を付した構成要素は同様の動作を行うので、再度の説明を省略する場合がある。
【０００８】
（実施の形態１）
図１は、本実施の形態における情報処理システムの概念図である。情報処理システムは、情報処理装置１１と複数の冷蔵庫１２を有し、情報処理装置１１と冷蔵庫１２は、通信が可能である。情報処理装置１１は、１以上の冷蔵庫１２が保持している１以上の商品情報を受信する。そして、冷蔵庫１２からの要求に応じて商品情報を送信する。冷蔵庫１２は、要求した商品情報を受信し、出力する。
【０００９】
図２は、本実施の形態における情報処理システムのブロック図である。情報処理装置１１は、商品情報受信部１１０１、商品情報蓄積部１１０２、アクセス要求受信部１１０３、商品情報選択部１１０４、選択商品情報送信部１１０５を有する。冷蔵庫１２は、商品情報受付部１２０１、商品情報送信部１２０２、アクセス要求受付部１２０３、アクセス要求送信部１２０４、選択商品情報受信部１２０５、選択商品情報出力部１２０６を有する。
【００１０】
商品情報受信部１１０１は、１以上の冷蔵庫に格納されている１以上の商品情報を受信する。商品情報受信部１１０１は、例えば、ネットワークカードとそのドライバーソフト等で実現される。また、商品情報受信部１１０１は、放送を受信する手段でも実現可能である。
【００１１】
商品情報蓄積部１１０２は、商品情報受信部１１０１が受信した１以上の商品情報を蓄積する。商品情報蓄積部１１０２は、通常、ＭＰＵやメモリ等から実現され得る。商品情報蓄積部１１０２が情報を蓄積するための処理手順は、通常、ソフトウェアで実現され、当該ソフトウェアはＲＯＭ等の記録媒体に記録されている。但し、ハードウェア（専用回路）で実現しても良い。また、商品情報蓄積部１１０２は、商品情報を記録する記録媒体（ハードディスクや光ディスク等）を含む場合もあるし、含まない場合もある。
【００１２】
アクセス要求受信部１１０３は、一の冷蔵庫１２から商品情報へのアクセス要求を受信する。アクセス要求受信部１１０３は、例えば、ネットワークカードとそのドライバーソフト等で実現される。また、商品情報受信部１１０１は、放送を受信する手段でも実現可能である。
【００１３】
商品情報選択部１１０４は、アクセス要求受信部１１０３が受け付けたアクセス要求に基づいて、商品情報蓄積部１１０２が蓄積した１以上の商品情報を選択し、予め決められた規則に基づいて構成する。予め決められた規則に基づいて構成とは、例えば、価格の安い順に商品情報をソーティングする処理や、アクセス要求が含む（または、アクセス要求と対で送信される）アクセス先の情報が示す場所から近いお店の商品情報を上に並べて（ソーティングして）出力するなどの処理を言う。商品情報選択部１１０４は、通常、ＭＰＵやメモリ等から実現され得る。商品情報選択部１１０４が商品情報を選択等するための処理手順は、通常、ソフトウェアで実現され、当該ソフトウェアはＲＯＭ等の記録媒体に記録されている。
【００１４】
選択商品情報送信部１１０５は、商品情報選択部１１０４が選択した商品情報を出力する。選択商品情報送信部１１０５は、例えば、ネットワークカードとそのドライバーソフト等で実現される。また、選択商品情報送信部１１０５は、放送手段でも実現可能である。
【００１５】
商品情報受付部１２０１は、１以上の商品情報を受け付ける。商品情報とは、商品に関する情報であり、そのデータ構造を問わない。商品情報は、通常、商品を識別する商品識別子、商品の種別を示す商品種別識別子、商品の価格を示す価格情報、商品の量や数を示す数量情報等を有する。商品情報受付部１２０１は、例えば、商品情報を受信する通信手段により実現され得る。また、商品情報受付部１２０１は、例えば、バーコードリーダーにより実現され得る。
【００１６】
商品情報送信部１２０２は、商品情報受付部１２０１が受け付けた１以上の商品情報を情報処理装置１１に送信する。商品情報送信部１２０２は、例えば、ネットワークカードとそのドライバーソフト等で実現される。また、商品情報送信部１２０２は、放送手段でも実現可能である。
【００１７】
アクセス要求受付部１２０３は、ユーザから商品情報にアクセスするとの要求であるアクセス要求を受け付ける。アクセス要求のデータ構造は問わない。アクセス要求は、通常、商品情報を識別する商品情報識別子を含む。アクセス要求受付部１２０３は、入力を受け付ける手段であれば、何でも良い。アクセス要求受付部１２０３は、例えば、キーボードとそのドライバーソフトで実現され得る。
また、アクセス要求受付部１２０３は、例えば、タッチパネルとそのドライバーソフトとアクセス要求を受け付けるためのメニューを構成するソフトウェア等で実現され得る。また、アクセス要求は、外部から通信により受け付けても良い。
【００１８】
アクセス要求送信部１２０４は、アクセス要求受付部１２０３が受け付けたアクセス要求を情報処理装置１１に送信する。アクセス要求送信部１２０４は、例えば、ネットワークカードとそのドライバーソフト等で実現される。また、アクセス要求送信部１２０４は、放送手段でも実現可能である。
【００１９】
選択商品情報受信部１２０５は、情報処理装置１１が送信した商品情報を受信する。選択商品情報受信部１２０５は、例えば、ネットワークカードとそのドライバーソフト等で実現される。選択商品情報受信部１２０５は、放送を受信する手段でも実現可能である。
【００２０】
選択商品情報出力部１２０６は、選択商品情報受信部１２０５が受信した商品情報を出力する。出力とは、通常、ディスプレイへの表示であるが、プリンタへの印字、音声出力等も含む。選択商品情報出力部１２０６は、例えば、液晶ディスプレイとそのドライバーソフト、および商品情報を出力制御するソフトウェア等で実現され得る。
【００２１】
以下、本情報処理システムの動作について説明する。まず、情報処理装置１１が１以上の冷蔵庫１２から商品情報を受信して、商品情報を蓄積するまでの動作について説明する。まず、１以上の冷蔵庫１２は、１以上の商品情報を受け付ける。この商品情報の受付は、例えば、以下のように行う。例えば、冷蔵庫１２はバーコードリーダーを備えており、スーパー等のお店で買い物をしたユーザが持ち帰ったバーコード付きのレシートを冷蔵庫１２のバーコードリーダーを用いて読み込む。また、例えば、スーパーのキャッシュレジスタは、通信機能を備えており、キャッシュレジスタから１以上の購入した商品の商品情報を買い物客の携帯端末（携帯電話を含む）が受信する。そして、購入した商品の商品情報が携帯端末に蓄積される。そして、買い物客が携帯端末に蓄積された１以上の商品情報を冷蔵庫１２に送信し、冷蔵庫１２は商品情報を蓄積する。
【００２２】
次に、冷蔵庫１２の動作を図３のフローチャートを用いて説明する。
（ステップＳ３０１）アクセス要求受付部１２０３は、ユーザから商品情報のアクセス要求を受け付けたか否かを判断する。アクセス要求を受け付ければステップＳ３０２に行き、アクセス要求を受け付けなければステップＳ３０１に戻る。
【００２３】
（ステップＳ３０２）アクセス要求送信部１２０４は、情報処理装置１１にアクセス要求を送信する。
【００２４】
（ステップＳ３０３）選択商品情報受信部１２０５は、ステップＳ３０２のアクセス要求の送信に対応して、情報処理装置１１から商品情報を受信したか否かを判断する。商品情報を受信すればステップＳ３０４に行き、商品情報を受信しなければステップＳ３０３に戻る。
【００２５】
（ステップＳ３０４）選択商品情報出力部１２０６は、ステップＳ３０３で受信した商品情報を出力する。
【００２６】
次に、情報処理装置１１の動作を図４のフローチャートを用いて説明する。
（ステップＳ４０１）アクセス要求受信部１１０３は、アクセス要求を受信したか否かを判断する。アクセス要求を受信すればステップＳ４０２に行き、アクセス要求を受信しなければステップＳ４０１に戻る。
【００２７】
（ステップＳ４０２）商品情報選択部１１０４は、ステップＳ４０１で受信したアクセス要求に基づいて、商品情報蓄積部１１０２が蓄積した商品情報を選択する。
【００２８】
（ステップＳ４０３）商品情報選択部１１０４は、ステップＳ４０２で選択した商品情報を予め決められた規則に基づいて構成する。
【００２９】
（ステップＳ４０４）選択商品情報送信部１１０５は、ステップＳ４０３で構成した商品情報を送信する。
【００３０】
以下、本実施の形態における冷蔵庫や情報処理装置等の具体的な動作について説明する。今、ユーザは、図５に示すように携帯電話５１を持ってスーパー等に買い物に出かけ、買い物の決済時にキャッシュレジスタ５２から情報を取得する。この情報は、ユーザが購入した商品の商品情報である。また、決済時にキャッシュレジスタ５２から商品情報が携帯電話５１に送信される。そして、ユーザは、携帯電話５１を家に持って帰り、冷蔵庫１２に商品情報を送信し、冷蔵庫１２は商品情報を蓄積する。
【００３１】
今、冷蔵庫１２は、通信手段６１１とディスプレイ６１２を具備している。そして、商品情報が通信手段６１１を経由して蓄積される。また、ディスプレイ６１２で商品情報を表示できる。そして、１以上の冷蔵庫１２から情報処理装置１１に１以上の商品情報が送信され、情報処理装置１１は多数の商品情報を蓄える（図６参照）。
【００３２】
ここでは、図７に示すように冷蔵庫１２（１）、１２（２）、１２（３）から１以上の商品情報が情報処理装置１１に送信される。この送信のタイミングが問わない。例えば、情報処理装置１１から定期的に１以上の冷蔵庫の商品情報を取得しに行っても良い。また、例えば、ユーザの指示により、冷蔵庫は商品情報を情報処理装置１１に送信しても良い。さらに、冷蔵庫は、定期的に自発的に商品情報を情報処理装置１１に送信しても良い。
【００３３】
また、冷蔵庫から送信する商品情報は、「購入店」「商品種別ＩＤ」「商品ＩＤ」「価格」を有する。そして、冷蔵庫は、１以上の商品情報に加えて、自身のＩＰアドレス（冷蔵庫識別子）を送信する。「購入店」は、商品の購入店を識別する情報である。「商品種別ＩＤ」は商品の種類を識別する情報である。「商品ＩＤ」は、商品を識別する情報である。「価格」は価格を示す情報である。
【００３４】
そして、情報処理装置１１は、１以上の冷蔵庫から受信した商品情報を、例えば、図８のように格納する。図８は、商品情報管理表である。
【００３５】
次に、冷蔵庫１２（４）のユーザは牛乳を購入しようとする場合に、情報処理装置１１に格納されている牛乳の商品情報を取得するために、アクセス命令を入力する。具体的には、ユーザは、冷蔵庫１２（４）のタッチパネル１２００１にタッチをして、メニュー項目「牛乳」を選択する（図９参照）。そして、冷蔵庫１２（４）は、例えば、アクセス命令「ｇｅｔ　商品情報　商品種別ＩＤ＝「牛乳」」を構成する。そして、このアクセス命令が情報処理装置１１に送信される。
【００３６】
次に、情報処理装置１１は、アクセス命令「ｇｅｔ　商品情報　商品種別ＩＤ＝「牛乳」」を受信する。次に、情報処理装置１１は、アクセス命令「ｇｅｔ　商品情報　商品種別ＩＤ＝「牛乳」」を解釈し、図８の商品情報管理表から商品種別ＩＤ＝「牛乳」のレコードを選択する。具体的には、図１０に示す３つの商品情報を選択する。
【００３７】
次に、情報処理装置１１は、予め決められた規則「価格の安い順にソーティングする」に基づいて構成する。つまり、情報処理装置１１は、図１０の表のレコードを図１１にように並びかえる。なお、「ＩＤ」は表管理上必要な情報であるので、ソートされた最上位のレコードの値が「１」となり、以下、インクリメントされる。
【００３８】
次に、情報処理装置１１は、図１１の商品情報の全部または一部を冷蔵庫１２（４）に送信する。冷蔵庫１２（４）は、図１１の商品情報の全部または一部を、例えば、図１２のように表示する。
【００３９】
以上、本実施の形態によれば、１以上の冷蔵庫に格納されている１以上の商品情報を、一の冷蔵庫からアクセスできる。従って、買い物をしようとする場合に、多数のお店の情報が事前に得られ、買い物に関する意思決定に有効である。
【００４０】
なお、本実施の形態において、情報処理装置で選択された複数の商品情報は、価格に基づいてソーティングされたが、かかる処理に限られない。つまり、商品情報の出力態様は問わず、１以上の冷蔵庫から入力された商品情報にアクセスできれば良い。例えば、情報処理装置は、お店の位置や冷蔵庫の位置を管理しており、問合せのあった冷蔵庫に近いお店の商品情報を上にして出力するなどの処理を行っても良い。かかることは、他の実施の形態においても同様である。
【００４１】
また、本実施の形態によれば、情報処理装置は、ユーザの指定した商品種別ＩＤに基づいて、商品情報を選択して送信したが、情報処理装置はすべての商品情報を、問合せのあった冷蔵庫に送信しても良い。かかる場合、情報処理装置は、通常、商品識別子に基づいて２以上の商品情報を視覚的にまとめて表示されるように送信する。かかることも、他の実施の形態においても同様である。
【００４２】
また、本実施の形態によれば、情報を取得する装置も冷蔵庫であったが、パソコンなどの情報処理装置により複数の冷蔵庫から集められた商品情報をアクセスしても良い。
【００４３】
また、本実施の形態によれば、情報処理装置は、商品情報を蓄積して送信するだけであったが、商品情報を送信せずに、表示等の出力を行っても良い。かかる情報処理装置が、例えば、家庭にあれば、その家庭では、他の人が購入した商品の商品情報を得ることができる。
【００４４】
また、本実施の形態によれば、商品情報の選択と構成は情報処理装置が行ったが、冷蔵庫が商品情報の選択と構成を行っても良い。つまり、冷蔵庫は、情報処理装置が蓄積している商品情報をすべて受信し、ユーザの指示に基づいて、商品情報の選択と構成を行っても良い。
【００４５】
また、本実施の形態において、商品情報はディスプレイに表示された（図１２参照）が、商品情報はスピーカーにより音声出力されても、プリンタにより印刷されても良い。スピーカーによる音声出力では、例えば、「ＸＹＺ店のＸＹＺオリジナル牛乳は１３８円で一番安いよ！」などと、最安値の情報のみ出力しても良い。かかることは、他の実施の形態においても同様である。
【００４６】
また、本実施の形態において、商品情報は、清涼飲料水や牛乳などであったが、商取引される商品やサービス等の情報であれば何でも良い。かかることは、他の実施の形態においても同様である。
【００４７】
また、本実施の形態において、冷蔵庫は情報処理装置と通信をするために、情報処理装置を識別する情報（情報処理装置のＩＰアドレスなど）を保持している。
【００４８】
また、本明細書において、商品種類ＩＤと商品種別識別子と同じ意味であり、商品ＩＤは商品識別子と同じ意味である。
【００４９】
さらに、本実施の形態において説明した動作は、コンピュータ読み取り可能なプログラムで実現しても良い。当該プログラムは、ＣＤ−ＲＯＭなどの記録媒体に記録されて流布しても良いし、ネットワーク配信により流布しても良いし、放送で流布しても良い。かかることも、他の実施の形態においても同様である。なお、本実施の形態において説明した動作を実現するプログラムは、コンピュータに、１以上の冷蔵庫に格納されている１以上の商品情報を受信する商品情報受信ステップと、商品情報を蓄積する商品情報蓄積ステップと、冷蔵庫から商品情報にアクセスする旨を示すアクセス命令を受信するアクセス命令受信ステップと、アクセス命令に基づいて、商品情報蓄積ステップで蓄積した１以上の商品情報から、商品情報を選択する商品情報選択ステップと、商品情報選択ステップで選択した商品情報を出力する商品情報出力ステップを実行させるためのプログラムである。
【００５０】
また、冷蔵庫の処理を実現するためのプログラムは、コンピュータに、アクセス命令を受け付けるアクセス命令受付ステップと、アクセス命令を送信するアクセス命令送信ステップと、アクセス命令に対応した商品情報を受信する商品情報受信ステップと、当該商品情報を出力する商品情報出力ステップを実行させるためのプログラムであり、かかるプログラムは冷蔵庫のＲＯＭやＲＡＭ等に格納される。
【００５１】
（実施の形態２）
【００５２】
図１３は、本実施の形態における情報処理システムの概念図である。情報処理システムは、複数の冷蔵庫１３１（１）、１３１（２）、１３１（３）等を有し、各冷蔵庫は、相互に通信が可能である。各冷蔵庫は、他の冷蔵庫が保持している商品情報を集めて、出力できる。
【００５３】
図１４は、本実施の形態における情報処理システムのブロック図である。ブロック図の簡単化のために、情報処理システムは、３つの冷蔵庫１３１（１）、１３１（２）、１３１（３）を有する、とする。
【００５４】
冷蔵庫１３１（１）、１３１（２）、１３１（３）は、商品情報蓄積部１３１０２、アクセス要求受信部１１０３、商品情報選択部１１０４、選択商品情報送信部１１０５、商品情報受付部１２０１、アクセス要求受付部１２０３、アクセス要求送信部１３１０４、選択商品情報受信部１２０５、選択商品情報出力部１２０６を有する。アクセス要求送信部１３１０４は、冷蔵庫識別子格納手段１３１０４１、アクセス要求送信手段１３１０４２を有する。
【００５５】
商品情報蓄積部１３１０２は、商品情報受付部１２０１が受け付けた１以上の商品情報を蓄積する。商品情報蓄積部１３１０２は、通常、ＭＰＵやメモリ等から実現され得る。商品情報蓄積部１３１０２が情報を蓄積するための処理手順は、通常、ソフトウェアで実現され、当該ソフトウェアはＲＯＭ等の記録媒体に記録されている。但し、ハードウェア（専用回路）で実現しても良い。また、商品情報蓄積部１３１０２は、商品情報を記録する記録媒体（ハードディスクや光ディスク等）を含む場合もあるし、含まない場合もある。
【００５６】
冷蔵庫識別子格納手段１３１０４１は、アクセス要求を送信する冷蔵庫を識別する冷蔵庫識別子を１以上格納している。冷蔵庫識別子は、冷蔵庫と通信をするための情報であり、例えば、冷蔵庫のＩＰアドレスや電話番号やＭＡＣアドレス等である。冷蔵庫識別子格納手段１３１０４１は、不揮発性の記録媒体が好適であるが、揮発性の記録媒体でも実現可能である。
【００５７】
アクセス要求送信手段１３１０４２は、冷蔵庫識別子格納手段１３１０４１に格納されている冷蔵庫識別子で識別される冷蔵庫にアクセス要求を送信する。アクセス要求送信手段１３１０４２は、例えば、ネットワークカードとそのドライバーソフト等で実現される。また、アクセス要求送信手段１３１０４２は、放送手段でも実現可能である。
【００５８】
以下、この冷蔵庫１３１の動作について説明する。まず、冷蔵庫１３１が商品情報を受け付けて蓄積する動作について説明する。実施の形態１で述べたように、バーコードリーダーや通信手段等により、商品情報受付部１２０１は１以上の商品情報を受け付け、商品情報蓄積部１３１０２は当該商品情報を蓄積する。
【００５９】
次に、冷蔵庫１３１のユーザが１以上の他の冷蔵庫１３１の商品情報へのアクセス要求を入力して、１以上の商品情報を得る動作について、図１５のフローチャートを用いて説明する。
【００６０】
（ステップＳ１５０１）アクセス要求受付部１２０３は、アクセス要求を受け付けたか否かを判断する。アクセス要求を受け付ければステップＳ１５０２に行き、アクセス要求を受け付けなければステップＳ１５０１に戻る。
【００６１】
（ステップＳ１５０２）カウンタｉに１を代入する。
【００６２】
（ステップＳ１５０３）アクセス要求送信手段１３１０４２は、冷蔵庫識別子格納手段１３１０４１に、ｉ番目の冷蔵庫識別子が存在するか否かを判断する。ｉ番目の冷蔵庫識別子が存在すればステップＳ１５０４に行き、ｉ番目の冷蔵庫識別子が存在しなければステップＳ１５０６に飛ぶ。
【００６３】
（ステップＳ１５０４）アクセス要求送信手段１３１０４２は、冷蔵庫識別子格納手段１３１０４１からｉ番目の冷蔵庫識別子を取得し、当該冷蔵庫識別子で識別される冷蔵庫に、ステップＳ１５０１で受け付けたアクセス要求を送信する。なお、アクセス要求送信手段１３１０４２は、ステップＳ１５０１で受け付けたアクセス要求を送信するに際し、アクセス要求の構造を変更する場合もあり得る。
【００６４】
（ステップＳ１５０５）ｉをインクリメントする。ステップＳ１５０３に戻る。
【００６５】
（ステップＳ１５０６）カウンタｊに１を代入する。
【００６６】
（ステップＳ１５０７）ｉがｊ以上であるか否かを判断する。ｉがｊ以上であればステップＳ１５０８に行き、ｉがｊ未満であればステップＳ１５１１に飛ぶ。
【００６７】
（ステップＳ１５０８）選択商品情報受信部１２０５は、ｊ番目の冷蔵庫から商品情報を受信したか否かを判断する。商品情報を受信すればステップＳ１５０９に行き、商品情報を受信しなければステップＳ１５０８に戻る。
【００６８】
（ステップＳ１５０９）選択商品情報受信部１２０５は、ステップＳ１５０８で受信した商品情報を一時的に格納する。
【００６９】
（ステップＳ１５１０）ｊをインクリメントする。ステップＳ１５０７に戻る。
【００７０】
（ステップＳ１５１１）選択商品情報出力部１２０６は、ステップＳ１５０９で格納した商品情報を出力する形態に構成する。この構成とは、例えば、価格の安い商品の順に商品情報を並び替えたり、アクセス要求を送信した冷蔵庫の存在場所から近いお店の商品の順に商品情報を並び替えたり、１以上の商品情報を出力するフォーマットに構成したりすることを言う。
【００７１】
（ステップＳ１５１２）選択商品情報出力部１２０６は、ステップＳ１５１１で構成した商品情報を出力する。
【００７２】
なお、図１５のフローチャートにおいて、冷蔵庫が他の１以上の冷蔵庫から商品情報を受信する処理は、シーケンシャルに行ったが、パラレルに商品情報の受信処理を行っても良い。
【００７３】
次に、冷蔵庫がアクセス要求を受信して、当該アクセス要求に合致する商品情報をアクセス要求の送信元の冷蔵庫に送信する動作について、図１６のフローチャートを用いて説明する。
【００７４】
（ステップＳ１６０１）アクセス要求受信部１１０３は、アクセス要求を受信したか否かを判断する。アクセス要求を受信すればステップＳ１６０２に行き、アクセス要求を受信しなければステップＳ１６０１に戻る。
【００７５】
（ステップＳ１６０２）商品情報選択部１１０４は、ステップＳ１６０１で受信したアクセス要求に対応する商品情報を、商品情報蓄積部１３１０２が蓄積した商品情報の中から検索する。
【００７６】
（ステップＳ１６０３）選択商品情報送信部１１０５は、ステップＳ１６０１で受信したアクセス要求を送信してきた冷蔵庫の冷蔵庫識別子を取得する。なお、通常、アクセス要求と対にアクセス要求の送信元の冷蔵庫の冷蔵庫識別子が送信される。
【００７７】
（ステップＳ１６０４）選択商品情報送信部１１０５は、ステップＳ１６０２で検索した商品情報を、ステップＳ１６０３で取得した冷蔵庫識別子で識別される冷蔵庫に送信する。
【００７８】
以下、本実施の形態における冷蔵庫等の具体的な動作について説明する。今、図１７に示すように３つの冷蔵庫１３１（１）、１３１（２）、１３１（３）がインターネットに接続されている。そして、３つの冷蔵庫１３１（１）、１３１（２）、１３１（３）は、それぞれ１以上の商品情報を格納している。３つの冷蔵庫が商品情報を格納するまでの動作は、実施の形態１で説明した通りである。
【００７９】
今、冷蔵庫１３１（２）のユーザが、購入した牛乳が高いのではないか、と思い、他の冷蔵庫に問い合わせる。つまり、例えば、図９に示すようなユーザインターフェイスで「牛乳」のメニュー項目を選択し、他の冷蔵庫に牛乳の価格を問い合わせる。
【００８０】
具体的には、図９に示すようにユーザが「牛乳」のメニュー項目を選択したとする。次に、冷蔵庫１３１（２）は、管理している冷蔵庫１３１（１）、１３１（３）のＩＰアドレスを取得して、牛乳の商品情報を送信することを命令するアクセス命令を送信する。アクセス命令は、例えば、「ｓｅｎｄ　ｇｏｏｄｓ＿ｉｎｆｏｒｍａｔｉｏｎ　ＫｉｎｄＯｆＧｏｏｄｓ＝「牛乳」」である。
【００８１】
次に、冷蔵庫１３１（１）、１３１（３）は、冷蔵庫１３１（２）のＩＰアドレスとアクセス命令は「ｓｅｎｄ　ｇｏｏｄｓ＿ｉｎｆｏｒｍａｔｉｏｎ　ＫｉｎｄＯｆＧｏｏｄｓ＝「牛乳」」を受信する。次に、冷蔵庫１３１（１）、１３１（３）は、商品種類ＩＤが「牛乳」の商品情報を選択して、冷蔵庫１３１（２）に送信する。
【００８２】
次に、冷蔵庫１３１（２）は、冷蔵庫１３１（１）、および冷蔵庫１３１（３）から「牛乳」の商品情報を受信する。次に、冷蔵庫１３１（２）は、自身に蓄積している「牛乳」の商品情報と、冷蔵庫１３１（１）、および冷蔵庫１３１（３）から受信した「牛乳」の商品情報から出力する１以上の商品情報を構成する。
【００８３】
今、例えば、冷蔵庫１３１（２）は価格の安い順に商品情報をソーティングして３つの商品情報を出力する。具体的には、図１２に示すように、冷蔵庫１３１（２）は、３つの商品情報を表示する。かかる表示により、冷蔵庫１３１（２）は、高い牛乳を購入したことを知り、次回の買い物に役立てるのである。
【００８４】
以上、本実施の形態によれば、１以上の冷蔵庫に格納されている１以上の商品情報を、ダイレクトに一の冷蔵庫からアクセスできる。従って、多数のお店の情報が得られ、買い物に関する意思決定等に有効である。
【００８５】
なお、本実施の形態によれば、商品情報の選択は、アクセス命令を受信した冷蔵庫が行ったが、商品情報を出力する冷蔵庫が商品情報の選択も行っても良い。つまり、冷蔵庫は、他の冷蔵庫が保有する商品情報をすべて受信して、その中からユーザが問い合わせた商品情報のみ選択して、出力しても良い。
【００８６】
さらに、実施の形態１では、冷蔵庫は情報処理装置を経由して複数の冷蔵庫からの商品情報を取得し、実施の形態２では、冷蔵庫は直接に複数の冷蔵庫からの商品情報を取得した。つまり、冷蔵庫の商品情報の取得経路は問わない。つまり、冷蔵庫は、１以上の他の冷蔵庫に格納されている商品情報を受信し、出力する冷蔵庫であれば良い。
【発明の効果】
以上のように、本発明によれば、１以上の冷蔵庫に格納されている１以上の商品情報を、一の冷蔵庫からアクセスでき、多数のお店の情報が得られ、買い物に関する意思決定等に有効である。
【図面の簡単な説明】
【図１】実施の形態１における情報処理システムの概念図
【図２】実施の形態１における情報処理システムのブロック図
【図３】実施の形態１における冷蔵庫の動作を示すフローチャート
【図４】実施の形態１における情報処理装置の動作を示すフローチャート
【図５】実施の形態１における携帯電話が商品情報を取得する概念図
【図６】実施の形態１における冷蔵庫が商品情報を取得する概念図
【図７】実施の形態１における情報処理装置に送信される商品情報の例を示す図
【図８】実施の形態１における商品情報管理表を示す図
【図９】実施の形態１におけるユーザインターフェイスの例を示す図
【図１０】実施の形態１における選択された商品情報を示す図
【図１１】実施の形態１における出力される商品情報を示す図
【図１２】実施の形態１における商品情報の出力例を示す図
【図１３】実施の形態２における情報処理システムの概念図
【図１４】実施の形態２における情報処理システムのブロック図
【図１５】実施の形態２における冷蔵庫の動作を示すフローチャート
【図１６】実施の形態２における冷蔵庫の動作を示すフローチャート
【図１７】実施の形態２における冷蔵庫に格納された商品情報の例を示す図
【符号の説明】
１１　情報処理装置
１２、１３１　冷蔵庫
５１　携帯電話
５２　キャッシュレジスタ
６１１　通信手段
６１２　ディスプレイ
１１０１　商品情報受信部
１１０２、１３１０２　商品情報蓄積部
１１０３　アクセス要求受信部
１１０４　商品情報選択部
１１０５　選択商品情報送信部
１２０１　商品情報受付部
１２０２　商品情報送信部
１２０３　アクセス要求受付部
１２０４、１３１０４　アクセス要求送信部
１２０５　選択商品情報受信部
１２０６　選択商品情報出力部
１２００１　タッチパネル
１３１０４１　冷蔵庫識別子格納手段
１３１０４２　アクセス要求送信手段
【図１】
2004116939.tif 000003
【図２】
2004116939.tif 000004
【図３】
2004116939.tif 000005
【図４】
2004116939.tif 000006
【図５】
2004116939.tif 000007
【図６】
2004116939.tif 000008
【図７】
2004116939.tif 000009
【図８】
2004116939.tif 000010
【図９】
2004116939.tif 000011
【図１０】
2004116939.tif 000012
【図１１】
2004116939.tif 000013
【図１２】
2004116939.tif 000014
【図１３】
2004116939.tif 000015
【図１４】
2004116939.tif 000016
【図１５】
2004116939.tif 000017
【図１６】
2004116939.tif 000018
【図１７】
2004116939.tif 000019